(57)【要約】【課題】ＩＰ電話などにおいて、着信側で着信させたい相手、例えば、家族や重要顧客からの電話を選択できる、選択的着信技術を提供することにある。【解決手段】  電話機のメモリに、発信元電話番号と、該電話番号に対する選択接続モード及び選択接続時間との組を複数有する個別接続指定ファイルを格納し、電話機は、発信元電話機からの接続要求に応じて、前記ファイルを参照し、発信元電話番号に対応する選択接続モードと選択接続時間を読み出し、選択接続モードがオンでかつ現在の時間が選択接続時間の時間内の場合には、ハンドセットを一定期間コールした後、ハンドセットをオフフックし、発信元電話機に接続許可情報を返信し、選択接続モードがオフ、または、選択接続モードがオンでかつ現在の時間が選択接続時間の時間外の場合には、受信者が該ハンドセットをオフフックしたとき、発信元電話機に接続許可情報を返信する。【選択図】  図１７
2006108938.tif 000002
【特許請求の範囲】
【請求項１】
処理部と記憶部と入出力部とハンドセットと回線接続部を有する電話機において、
前記記憶部は、発信元電話番号と該電話番号に対する選択接続モード情報の組を複数有する個別接続指定ファイルを備え、
前記処理部は、回線接続部を介して発信元電話機から接続要求情報を受け取ったとき、前記個別接続指定ファイルを参照して発信元電話番号に対応する選択接続モード情報を取得する取得手段と、
該取得した選択接続モード情報が許可（オン）の場合には前記ハンドセットに対して一定期間コールした後、該ハンドセットをオフフックし、発信元電話機に接続許可情報を返信する選択接続処理を行い、不許可（オフ）の場合には受信者による該ハンドセットのオフフックを検出したとき発信元電話機に接続許可情報を返信する通常接続処理を行う接続制御手段を有することを特徴とする電話機。
【請求項２】
請求項１記載の電話機において、
個別接続指定ファイルは、発信元電話番号と、該電話番号に対する選択接続モード情報及び選択接続時間情報の組を複数有し、
前記処理部の取得手段は、前記個別接続指定ファイルを参照して発信元電話番号に対応する選択接続モード情報及び選択接続時間情報を取得し、
前記処理部の接続制御手段は、該取得した選択接続モード情報が許可（オン）でありかつ現在の時間が該取得した選択接続時間情報の選択接続時間内の場合には前記ハンドセットに対して一定期間コールした後、該ハンドセットをオフフックし、発信元電話機に接続許可情報を返信する選択接続処理を行い、
該取得した選択接続モード情報が不許可（オフ）または、該取得した選択接続モード情報が許可（オン）でありかつ現在の時間が該取得した選択接続時間情報の選択接続時間外の場合には受信者による該ハンドセットのオフフックを検出したとき発信元電話機に接続許可情報を返信する通常接続処理を行うことを特徴とする電話機。
【請求項３】
複数の電話機が接続されるネットワークに接続され、電話機間の接続、切断を制御するサーバ装置であり、前記各電話機のプレゼンス情報を格納したデータベースに接続された中継処理部を備え、前記中継処理部は、発信元電話機からの宛先電話機を指定した接続要求を受け取ったとき、前記データベースを参照して宛先電話機のプレゼンス情報を取得し、プレゼンス情報が在席である場合は宛先電話機に接続要求を送信し、プレゼンス情報が不在あるいは帰宅である場合は発信元電話機に不在応答を送信するサーバ装置において、
前記データベースは、さらに前記各電話機対応に備えられた発信元電話番号と該電話番号に対する選択接続モード情報の組を複数有する個別接続指定ファイルを備え、
前記中継処理部は、発信元電話機からの宛先電話機を指定した接続要求を受け取ったとき、前記データベースを参照して宛先電話機のプレゼンス情報および宛先電話機の個別接続指定ファイル中の前記発信元電話機に対応する選択接続モード情報を取得する取得手段と、
取得したプレゼンス情報が在席の場合または取得したプレゼンス情報が不在でありかつ取得した選択接続モード情報が許可（オン）の場合は宛先電話機に前記接続要求を送信し、
取得したプレゼンス情報が帰宅の場合または取得したプレゼンス情報が不在でありかつ取得した選択接続モード情報が不許可（オフ）の場合は発信元電話機に不在応答を送信する接続制御手段を有することを特徴とするサーバ装置。
【請求項４】
請求項３記載のサーバ装置において、
前記個別接続指定ファイルは、発信元電話番号と、該電話番号に対する選択接続モード情報及び選択接続時間情報の組を複数有し、
前記中継処理部の取得手段は、前記個別接続指定ファイルを参照して発信元電話番号に対応する選択接続モード情報及び選択接続時間情報を取得し、
前記中継処理部の接続制御手段は、
取得したプレゼンス情報が在席の場合または取得したプレゼンス情報が不在かつ取得した選択接続モード情報が許可（オン）かつ現在の時間が該取得した選択接続時間情報の選択接続時間内の場合は宛先電話機に前記接続要求を送信し、
取得したプレゼンス情報が帰宅の場合または取得したプレゼンス情報が不在かつ取得した選択接続モード情報が不許可（オフ）の場合または取得したプレゼンス情報が不在かつ取得した選択接続モード情報が許可（オン）かつ現在の時間が該取得した選択接続時間情報の選択接続時間外の場合は発信元電話機に不在応答を送信することを特徴とするサーバ装置。
【請求項５】
少なくとも、処理装置と、記憶装置と、入出力装置と、ハンドセットと、回線接続装置を備えた電話機において実行される発信元電話機からの接続要求に応じて接続制御を行う接続制御プログラムであって、
前記記憶装置は、発信元電話番号と該電話番号に対する選択接続モード情報の組を複数有する個別接続指定ファイルを記憶しており、
発信元電話機からの接続要求に応じて前記発信元電話機の電話番号をキーとして個別接続指定ファイルを検索して対応する選択接続モード情報を抽出するステップと、
抽出された選択接続モード情報が許可（オン）の場合には前記ハンドセットに対して一定期間コール信号を出力した後、該ハンドセットをオフフックし、発信元電話機に接続許可情報を返信するステップと、
抽出された選択接続モード情報が不許可（オフ）の場合には受信者による該ハンドセットのオフフックを示す信号を検出したとき発信元電話機に接続許可情報を返信するステップと
を実行する接続制御プログラム。
【請求項６】
少なくとも、処理装置と、記憶装置と、入出力装置と、ハンドセットと、回線接続装置を備えた電話機において実行される発信元電話機からの接続要求に応じて接続制御を行う接続制御プログラムであって、
前記記憶装置は、発信元電話番号と、該電話番号に対する選択接続モード情報及び選択接続時間情報の組を複数有する個別接続指定ファイルを記憶しており、
発信元電話機からの接続要求に応じて前記発信元電話機の電話番号をキーとして個別接続指定ファイルを検索して対応する選択接続モード情報及び選択接続時間情報を抽出するステップと、
抽出された選択接続モード情報が許可（オン）でありかつ現在の時間が該取得した選択接続時間情報の選択接続時間内の場合には前記ハンドセットに対して一定期間コール信号を出力した後、該ハンドセットをオフフックし、発信元電話機に接続許可情報を返信するステップと、
抽出された選択接続モード情報が不許可（オフ）または、該取得した選択接続モード情報が許可（オン）でありかつ現在の時間が該取得した選択接続時間情報の選択接続時間外の場合には受信者による該ハンドセットのオフフックを示す信号を検出したとき発信元電話機に接続許可情報を返信するステップと
を実行する接続制御プログラム。
【発明の詳細な説明】
【技術分野】
【０００１】
本発明は、ＩＳＤＮ、Ｈ.３２３、ＳＩＰ(Session Initiation Protocol)、携帯電話などのおけるディジタルネットワークにおいて、着信側電話端末に設定されたモードに従い、発信者を選択して接続処理を行うためのものであり、交換機、サーバ装置などの電話交換装置及び電話機の着信処理技術に関するものである。
【背景技術】
【０００２】
従来の電子交換機では、加入者状態情報の不在、在席を登録することが出来ず、不在、在席に関わり無く呼出しが行われており、電話機側で不在設定した場合、留守録音が行われていた。
改良された技術においては、不在、在席を予め電子交換機に登録しておき、それにより、着信した場合不在ならば、予め設定されている例えば、ボイスメールが行われるようになっていた。
また、既に公開された技術として、電子交換機に、加入者が着信呼出しに応答し得ない理由を加入者状態として登録しておき、加入者に着信があった場合には電子交換機が着信側の加入者状態を判定し、加入者状態に不在理由が無い場合には着信側電話機が呼び出され、加入者状態に不在理由が有る場合には、不在と判定されたうえで発呼側の加入者に不在理由が音声などにより送出される技術が開示されており、さらに、発呼側が、不在理由の内容を検討して着信せしめることが妥当と考えた場合には、特番キーを操作し、これにより着信側電話機が強制的に呼び出される技術や、不在理由が送出されたにもかかわらず発呼側が回線を切断することなく一定時間経過した場合には、経過時点で着信側電話機の呼出しを開始する技術が開示されている（例えば、特許文献１参照）
【０００３】
【特許文献１】特開平８−６５３９２号公報
【発明の開示】
【発明が解決しようとする課題】
【０００４】
従来技術では、加入者状態（不在、在席等の状態）を離席時又は着席時に更新しなければ、それまでの状態が継続され、例えば、離席時に加入者状態を不在としておき、着席時に、在席に更新するのを忘れた場合、不在の状態のままとなり、着信者側では呼出しが行われず、電話がかかってきたのが分からず、重要な用件や緊急な用件を知ることが出来なくなってしまう問題が発生した。
又、前記特許文献１には、不在の状態でも特定の操作で呼出す技術が開示されているが、着信側で、受信したくない状態の場合、例えば、作業に集中する為、わざと不在設定にしている場合でも、呼出が行われ、会話しなければならず煩わしく、又、作業が中断される為、作業に集中できず効率を悪くしていた。
又、話したくない相手、例えば、押し付け電話など、不在設定にしておいてもかかってくる為、対応するのが煩わしく、高齢者宅においては、詐欺に遭うなどの社会的問題も発生していた。
本発明の目的は、前述の従来技術による不具合を除去することであり、特にインターネットを利用したＩＰ電話などのディジタル通信において、着信側で必要に応じて着信させたい相手、例えば、家族や重要顧客からの電話を選択できる、効率の良く、安心な、選択的着信のできる技術を提供することにある。
【課題を解決するための手段】
【０００５】
処理部（ＣＰＵ）と記憶部（メモリ及びＨＤＤ）と入出力部とハンドセットと回線接続部を有する電話機において、
発信元電話番号と該電話番号に対する選択接続モード情報の組を複数有する個別接続指定ファイルを記憶部に格納しておき、
回線接続部を介して発信元電話機から接続要求情報を受け取ったときに、処理部は、個別接続指定ファイルを参照して発信元電話番号に対応する選択接続モード情報を読み出し、
読み出した選択接続モード情報がオンの場合には、ハンドセットを一定期間コールした後、ハンドセットをオフフックし、発信元電話機に接続許可情報を返信し、
オフの場合には、受信者が該ハンドセットをオフフックしたことを検出したとき、発信元電話機に接続許可情報を返信する。
また、さらに個別接続指定ファイルに発信元電話番号毎に選択接続モード情報の外に選択接続時間情報を格納しておき、
回線接続部を介して発信元電話機から接続要求情報を受け取ったときに、処理部は、個別接続指定ファイルを参照して発信元電話番号に対応する選択接続モード情報と選択接続時間情報を読み出し、
読み出した選択接続モード情報がオンでかつ現在の時間が選択接続時間情報の選択接続時間内の場合には、ハンドセットを一定期間コールした後、ハンドセットをオフフックし、発信元電話機に接続許可情報を返信し、
読み出した選択接続モード情報がオフ、または、選択接続モード情報がオンでかつ現在の時間が読み出した選択接続時間情報の選択接続時間外の場合には、受信者が該ハンドセットをオフフックしたことを検出したとき、発信元電話機に接続許可情報を返信する。
【０００６】
また、複数の電話機が接続されるネットワークに接続され、電話機間の接続、切断を制御するサーバ装置であり、前記各電話機のプレゼンス情報を格納したデータベースに接続された中継処理部を備え、前記中継処理部は、発信元電話機からの宛先電話機を指定した接続要求を受け取ったとき、前記データベースを参照して宛先電話機のプレゼンス情報を取得し、プレゼンス情報が在席である場合は宛先電話機に接続要求を送信し、プレゼンス情報が不在あるいは帰宅である場合は発信元電話機に不在応答を送信するサーバ装置において、
前記データベースに、さらに前記各電話機対応に備えられた発信元電話番号と該電話番号に対する選択接続モード情報の組を複数有する個別接続指定ファイルを格納しておき、
発信元電話機からの宛先電話機を指定した接続要求を受け取ったとき、中継処理部は、データベースを参照して宛先電話機のプレゼンス情報と、宛先電話機の個別接続指定ファイル中の発信元電話機に関する選択接続モード情報を読み出し、
読み出したプレゼンス情報が在席の場合、または、プレゼンス情報が不在でかつ読み出した選択接続モード情報がオンの場合は宛先電話機に接続要求を送信し、
プレゼンス情報が帰宅の場合、または、プレゼンス情報が不在でかつ読み出した選択接続モード情報がオフの場合は、発信元電話機に不在応答を送信する。
また、さらに個別接続指定ファイルに発信元電話番号毎に選択接続モード情報の外に選択接続時間情報を格納しておき、
発信元電話機からの宛先電話機を指定した接続要求を受け取ったとき、中継処理部は、データベースを参照して宛先電話機のプレゼンス情報と、宛先電話機の個別接続指定ファイル中の発信元電話機に関する選択接続モード情報と選択接続時間情報を読み出し、
プレゼンス情報が在席の場合、または、プレゼンス情報が不在かつ選択接続モード情報が許可オンかつ現在の時間が選択接続時間情報の選択接続時間内の場合は宛先電話機に接続要求を送信し、
プレゼンス情報が帰宅の場合、または、プレゼンス情報が不在かつ選択接続モード情報がオフの場合、または、プレゼンス情報が不在かつ選択接続モード情報がオンかつ現在の時間が選択接続時間情報の選択接続時間外の場合は発信元電話機に不在応答を送信する。
【発明の効果】
【０００７】
本発明により、着信者側で必要に応じて着信させたい相手、例えば、家族や重要顧客からの電話が選択できる個別接続情報(選択接続モード、選択接続時間（開始、終了）) を、設定できるので、着信のこまやかな管理が出来、効率の良い、安心な着信機能を提供することが出来る。
他の効果として、個別接続情報で選択接続を許可に設定した場合、選択接続処理を行い受信動作(オフフック)が出来ない手が離せない状態でも、着信が出来、通話をすることができる。
【発明を実施するための最良の形態】
【０００８】
以下、本発明の一実施形態を図面を参照して詳細に説明する。
図１は本実施形態によるシステム構成例を示す。
５は、ＴＣＰ／ＩＰをベースとするインターネット、ＬＡＮなどのネットワークを示す。
１はソフトフォン機能を持ったネットワーク端末装置であるパソコン(ＰＣ)で、インターネット５を通じて、会話を可能とするＩＰ電話1及びＩＰ電話２、である。なお、画面や入出力のデバイスを備えたコンピュータ上で動作する電話のアプリケーションプログラムのことが通称ソフトフォンと言われている。
２は、ソフトフォン用の送受話を行うマイクとスピーカを持ったハンドセット（以下、ＨＳ２と記載する）を示す。
本ハンドセットは、一定の距離が離れていても会話が可能。
本実施例では、ハンドセットを例として記述しているが、ヘッドセットや送受話が可能な機能を持ったWebカメラでも良く、ネットワーク端末装置に接続されているマイクとスピーカでも良い。
３は、ＩＰ電話からの発呼、接続、切断の制御を行うサーバを示す。本実施形態では、該サーバをメッセージ交換サーバと記す。
本例では、ＳＩＰ(Session Initiation Protocol)をサポートした形態を例として示す。
また、プロトコル規約上、発信元、宛先のＩＤとして、記号名称なども使用可能であるが、本例では、簡便のため、以下電話番号による例示とする。
４は、電話番号、ＩＰアドレスなどの変換表を持ったメッセージ交換サーバ３と連携したデータベースである。
例えば、ＩＰ電話１からのＩＰ電話２への発信接続に当って、ＩＰ電話１からのメッセージは、メッセージ交換サーバ３を経由するが、メッセージ交換サーバ３はデータベース４を参照してＩＰ電話２のアドレスを算出し、ＩＰ電話２に接続要求をする。
【０００９】
図２は、本発明のＩＰ電話内(ＰＣ)のハードウェアブロック図を示している。
１０１は、ＩＰ電話全体を制御するＣＰＵを示す。
１０２は、プログラム、テーブルを一時記憶するメモリを示す。
１０３は、ＬＡＮインターフェースを制御する制御ボードを示す。
１０４は、キーボード、マウス、マイクなどの入力装置を示し、本例では、ＩＮＰＵＴと略称する。
１０５は、モニタ、液晶などの表示装置(スピーカ内蔵)を示し、本例では、ＤＩＳＰＬＡＹと略称する。
１０６は、プログラム、テーブル類、データベースなどを記憶している外部記憶装置を示し、本例では、ＨＤＤと略称する。
１０７は、ＨＳ２とのインターフェース、例として、ＵＳＢの信号方式を制御するＵＳＢ制御ボードを示し、本例では、ＵＳＢと略称する。
【００１０】
図３は、本発明のＩＰ電話(ＰＣ)のソフトウェアブロック図を示している。なお、このソフトウェアはＨＤＤ１０６に格納されており、ＩＰ電話動作時にはＨＤＤ１０６から読み出され、メモリ１０２に記憶される。
１２０は、オペレーティングシステム（ＯＳ）であり、入出力制御、イベント通知、アプリケーションの起動・終了を含む実行制御などを行う。
１３０は、入出力制御部であり、キーボード、ハンドセット、ＬＡＮなどの制御を行うドライバなどを含む。
１３１は、ＬＡＮインターフェースを制御するドライバ、ＴＣＰ／ＩＰプロトコル制御などが含まれるＬＡＮ制御部を示す。
１３２は、ＵＳＢインターフェースを制御するドライバ、ハンドセットのハード制御などが含まれるハンドセット制御部を示す。
１３３は、ＨＤＤ１０６を制御するＳＣＳＩなどのドライバ、ファイルの作成削除管理などが含まれるハードディスク制御部を示す。
１３４は、ＩＮＰＵＴ１０４を制御するキーボードやマウスなどの入力ドライバなどが含まれる入出力制御部を示す。
１３５は、ＤＩＳＰＬＡＹ１０５を制御する表示ドライバ、ビデオメモリ管理などが含まれる表示制御部を示す。
１１０は、ソフトフォンアプリケーション部を示している。
１１１は、イベント制御部で、ＯＳ１２０経由の各種入出力イベントをアプリケーションで受付け制御を行う。
１１２は、音声制御部で、送受話すべき音声データを、ハンドセット制御部１３２または、ＬＡＮ制御部１３１へ転送指示を行う。
１１３は、発信制御部で、ＨＳ２または、ＩＮＰＵＴ１０４から、入出力制御部１３０経由で発信指示操作のイベントを受けて、画面操作制御部１１５に対して発信のための起動を行うものである。
１１４は、着信制御部で、ＬＡＮ１０３経由してきた外部電話又は他のＩＰ電話２からの着信を制御する。
１１５は、画面操作制御部であり、ソフトフォンを操作するためのソフトフォン画面を通じて、発着信操作制御、プレゼンス更新制御及び固有の電話帳の更新制御を行う。
【００１１】
図４は、本発明のＩＰ電話（ＰＣ）におけるディスプレイ上に表示されるソフトフォン画面例を示している。
１４１は、ダイヤル入力など、テンキー置数入力エリアを示す。
１４２は、“ヨビダシチュウ”などの各種状態表示を行うガイダンス表示エリアを示している。
１４３は、テンキーエリアで、本テンキーを選択することで、ダイヤル入力することが可能である。
１４４は、発着信ボタンであり、テンキー置数入力エリア１４１へダイヤル入力後、発着信ボタンを押すことにより、発信操作を行う。又、呼出時、発着信ボタンを押すことにより着信操作を行い通話が開始される。
１４５は、切断ボタンであり、このボタンを押すことにより電話の切断を行う。
１４６は、転送、保留、固有の電話帳の読み出しなどの各ボタンが配置された制御ボタンエリアを示す。
１４７は、プレゼンス設定ボタンで、在席、不在、帰宅を設定する。
１４８は、在席、不在、帰宅等の在席状態を表示するプレゼンス表示エリアを示している。
１４９は、制御ボタンエリア１４６内に設けられた固有の電話帳を読み出す電話帳ボタンである。
【００１２】
図５は、本発明のＩＰ電話（ＰＣ）におけるハンドセット２（ＨＳ２）の外観図を示している。
２０１は、スピーカ、２０５は、マイクを示す。
２０２は、発着信ボタン、２０３は、切断ボタン、２０４は、テンキー入力エリアを示す。
【００１３】
図６は、選択接続モード、選択接続開始時間、及び、終了時間入力例を示す。
１４６０は、ＩＰ電話（ＰＣ）で表示する選択接続設定画面を示す。
次ぎに、この選択接続設定画面の表示について説明する。
図４の制御ボタンエリア１４６内に固有の電話帳を読み出す電話帳ボタン１４９があり、これを押すことにより、後述する図７に示す電話帳データベースの個別接続指定ファイルの内容と、新規設定ボタン、編集ボタン、終了ボタン等を備える電話帳画面（図示してない）がソフトフォン画面の上に表示される。
電話帳画面において、新規設定ボタンを押すか、または発信元電話番号を選択して編集ボタンを押すことによって選択接続設定画面が、電話帳画面の上に表示される。すなわち、新規設定ボタンを押した場合には、対象電話番号表示エリア１４６８と選択接続モードと選択接続開始時間及び終了時間が何れも設定されていない選択接続設定画面が表示され、発信元電話番号を選択して編集ボタンを押した場合には、個別接続指定ファイル中の選択した発信元電話番号が対象電話番号表示エリア１４６８に表示され、選択した発信元電話番号に対応する個別接続指定ファイル中の選択接続モードと選択接続開始時間及び終了時間が表示された選択接続設定画面が表示される。
【００１４】
１４６８は、選択接続設定を行う電話番号を表示する対象電話番号表示エリアを示す。
１４６１、１４６２は、チェックマーク入力エリアであり、チェックすると選択接続モードが設定される。
１４６１にチェックすると、選択接続モードはオンに、１４６２にチェックすると、選択接続モードは、オフに設定される。
１４６３、１４６４は、選択接続開始時間入力エリアであり、１４６３に時間、１４６４に分を設定する。
１４６５、１４６６は、選択接続終了時間入力エリアであり、１４６５に時間、１４６６に分を設定する。
選択接続開始時間入力エリアと選択接続終了時間入力エリアに同じ値を設定すると、選択接続時間は２４時間有効になる。他の場合は、開始時間から終了時間までの範囲が選択接続有効時間である。
１４６７は、登録ボタンであり、各エリア設定後、登録ボタンを選択すると設定情報がＩＰ電話（ＰＣ）のＨＤＤ１０６に転送され、ＩＰ電話（ＰＣ）のＨＤＤ１０６に保存されている固有の電話帳データベースの個別接続指定ファイル（図７に示す）の電話番号フィールド、選択接続モードフィールド、選択接続時間フィールドの新たな登録（新規の場合）、あるいは更新（編集の場合の場合であり、選択された発信元電話番号に関連付けられた選択接続モードフィールドと選択接続時間フィールドの情報が更新される）され、選択接続設定画面は閉じる。
次ぎに電話帳画面の終了ボタンを押すことによって電話帳画面を閉じる。
また、データベース４にＩＰ電話毎の個別接続指定ファイルの写しを格納している場合には、電話帳画面を閉じると、固有の電話帳の個別接続指定ファイルへの新規登録または編集があった場合は、ＨＤＤ１０６内の固有の電話帳データベースの個別接続指定ファイルは読み出され、ネットワーク５及びメッセージ交換サーバ３を介してデータベース４に送られ、データベース４のＩＰ電話毎の個別接続指定ファイルの写しも更新される。
【００１５】
図７は、ＩＰ電話（ＰＣ）のＨＤＤ１０６に保存されている固有の電話帳データベースの個別接続指定ファイルの一部の形式を示す。
７０１は、発信元電話番号フィールド、７０２、７０３はそれに対応するフィールドであり、７０２は、選択接続モードフィールド、７０３は、選択接続時間フィールドを示す。なお、選択接続モードと選択接続時間の組を選択接続情報と記す。
本実施例では、ＩＰ電話２の個別接続指定ファイルを示している。発信元電話番号（701）のAAは、この例では家族の電話番号である為、選択接続モードは、オンに、選択接続時間は、２４時間有効(開始時間＝終了時間)に設定している。
又、BBは、会社の上司の電話番号である為、選択接続モードは、オンに、選択接続時間は、本日の指示、及び、連絡事項を受ける為、７時〜８時まで有効に設定している
CCは、重要顧客の電話番号で、選択接続モードは、オンに、選択接続時間は、顧客との連絡時間の９時〜１０時を有効に設定、他の電話番号は、特に緊急性がないので、オフに設定している。
上記のように、相手の電話番号ごとに、こまやかに通話相手と時間を選択して設定できる。
なお、上記の個別接続指定ファイルの例では、発信元電話番号フィールドと、選択接続モードフィールドと、選択接続時間フィールドを有しているが、個別接続指定ファイルを、選択接続時間フィールドを省略したもの、すなわち、発信元電話番号フィールドと、選択接続モードフィールドを有するものとしてもよい。
【００１６】
図８は、メッセージ交換サーバ３の機能ブロック図を示す。
３０１は、ネットワーク５と接続するために、ＬＡＮ、ＷＡＮなどとの通信制御を行う通信制御部を示す。
３０２は、メッセージを受けるメッセージ受信部、３０３は、メッセージの内容を解析するメッセージ解析部を示している。
メッセージ中継処理部３０４では、解析したメッセージを受け、宛先の電話番号または、宛先の記号名称などから、メッセージの転送先のＩＰアドレスを、データベース４を参照して求めるとともに、データベース４を参照して宛先のプレゼンス、及び、宛先の個別接続指定ファイルの発信元の電話番号
の選択接続情報を求め、送信先を決定し、送信先のＩＰアドレスをセットし、メッセージの内容を組み立てなおして、３０５なるメッセージ送信部へ送信要求を行う。
メッセージ送信部３０５は、メッセージ中継処理部３０４から、転送すべき送信データを受取り、通信制御部３０１へ送信指示を行う。
【００１７】
図９は、メッセージ交換サーバ３に接続されたデータベース４の一部の形式を示す。
４０１は、電話番号フィールド、４０２、４０３はそれに対応するフィールドであり、４０２は、ＩＰアドレス、４０３はプレゼンス情報を示す。
さらに、データベース４は、電話番号に対応する個別接続指定ファイルの写しを持つことができる。
【００１８】
図１０は、データベース４にＩＰ電話（ＰＣ）の固有の電話帳データベースの個別接続指定ファイルの写しが格納されている場合における、その写しの形式を示す。
１００１は、ＩＰ電話１の個別接続指定ファイルの写しのファイル、１００２は、ＩＰ電話２の個別接続指定ファイルの写しのファイル、１００３は、ＩＰ電話ｎの個別接続指定ファイルの写しのファイルを示している。
本実施例では、メッセージ交換サーバ３と連携したデータベース４に全てのＩＰ電話の固有の電話帳データベースの個別接続指定ファイルの写しを持たすことができるが、その場合データベース４には選択接続モードがオンの情報を持つデータだけを持てば良く(情報量を少量に出来る)、この場合、検索結果に対応する電話番号が無い場合は、選択接続モードがオフと判定される。
【００１９】
図１１は、メッセージ形式の一部を示す。
５０１、５０２は、ＴＣＰ／ＩＰにおけるＩＰフィールドのソースＩＰアドレス、デスティネーションＩＰアドレスを示す。
５０３〜５０８は、ＳＩＰプロトコルのレイヤーレベルのフィールドを示す。
５０３は、開始行を示し、メッセージの種類（リクエスト、レスポンス）を示す。
５０４、５０５は、ＦＲＯＭ（発信元電話番号）、ＴＯ（発信先電話号）を示す。
５０６は、ＣＡＬＬＩＤで、１つの会話が確立された時、他の会話と区別するための識別用番号である。
５０７は、ＣＳＥＱであり、Ｃｏｍｍａｎｄ  Ｓｅｑｕｅｎｃｅを示す。
本例では、リクエストの種類として、接続要求であるＩＮＶＩＴＥ、肯定応答であるＡＣＫ、ＢＹＥ、レスポンスとして、ＲＩＮＧＩＮＧ、接続許可であるＯＫ、不在応答であるTemporarily Unavailable、などが含まれている。
５０８は、セッションの情報を表すボディを示す。
【００２０】
図１８は、ＩＰ電話１とＩＰ電話２との接続から、切断までのシーケンス図を示している。
本例では、ＩＰ電話１から、ＩＰ電話２へ発信するケースを示している。
また、個別接続指定ファイルの形式は、図７に示したものとする。
S1801において、ＩＰ電話１において、電話番号を指定して発信動作を行う。
ＩＰ電話１では、図１１のメッセージを作成する。この時、５０１にはＩＰ電話１のＩＰアドレス、５０２には、メッセージ交換サーバ３のＩＰアドレスを設定する。
５０２の設定は、ダイアルアップなどによる直接接続の場合は、必ずしも、必須ではない。
ＦＲＯＭ５０４、ＴＯ５０５にはそれぞれ、ＩＰ電話１、ＩＰ電話２の電話番号をそれぞれセットする。
開始行５０３には発信の意味を表すリクエスト、ＩＮＶＩＴＥをセットし、メッセージ交換サーバ３へ発信する。
【００２１】
S1811において、メッセージ交換サーバ３は、受信したメッセージを解析する。
メッセージ中継処理部３０４にて、本受信メッセージのＴＯ５０５の電話番号を読み出す。
本電話番号により、データベース４を検索し、４０２内の対応するＩＰアドレスとプレゼンス情報を求め、プレゼンス情報を解析し対応する処理を行う、本ケースでは在席の場合を説明する。
求めたＩＰアドレスをメッセージのデスティネーションＩＰアドレス５０２にセットして、ソースＩＰアドレスは、メッセージ交換サーバ３のＩＰアドレスをセットし、開始行５０３とＣＳＥＱ５０７の内容はそのままとして、ネットワーク５に本ＩＮＶＩＴＥメッセージを流すことになる。ＦＲＯＭ５０４、ＴＯ５０５には変更はない。
【００２２】
本メッセージを、ＩＰ電話２で受信すると、S1821で、受信したＩＮＶＩＴＥのＦＲＯＭ５０４の電話番号を読み出し、本電話番号により、ＩＰ電話２の個別接続指定ファイルを検索し、702内の対応する選択接続モードを求め、解析し、選択接続モードがオフ（この場合オフとして説明する）なので通常の接続処理を実行し、スピーカ２０１において、着信音を鳴らす。
それと、同時に、デスティネーションＩＰアドレス５０２にメッセージ交換サーバ３のＩＰアドレスを、ソースＩＰアドレスにＩＰ電話２のアドレスを、開始行にレスポンスを、ＣＳＥＱにＲＩＮＧＩＮＧをセットして、本ＩＮＶＩＴＥメッセージに対して呼び出し中を示しているレスポンスメッセージＲＩＮＧＩＮＧを返信する。ＦＲＯＭ５０４にＩＰ電話２の電話番号、ＴＯ５０５にＩＰ電話１の電話番号をセットする。
本レスポンスは、ＩＮＶＩＴＥと逆のルートをたどって、ＩＰ電話１に返信されるが、メッセージ交換サーバ３はレスポンスメッセージＲＩＮＧＩＮＧを受信すると、ソースＩＰアドレスにメッセージ交換サーバ３のＩＰアドレスを、デスティネーションＩＰアドレスにＩＰ電話１のＩＰアドレスをセットし、ＦＲＯＭ５０４とＴＯ５０５と開始行５０３とＣＳＥＱ５０７はそのままとして、レスポンスメッセージＲＩＮＧＩＮＧを返信する。
この時、同様に、メッセージ交換サーバ３において、ＲＩＮＧＩＮＧレスポンスのＴＯ５０５より、ＩＰ電話１の電話番号を読み出し、データベース４を検索し、４０２内の対応するＩＰアドレスを求めることなどは言うまでもない。
【００２３】
ＲＩＮＧＩＮＧの後、ＩＰ電話２において、電話機の受話器を上げると（オフフック）、それにより、電話口で出た意味で、さらに、ＩＰ電話２より、メッセージ交換サーバ３を介してＯＫのレスポンスがなされる。
メッセージ交換サーバ３へのＯＫのレスポンスでは、ソースＩＰアドレスにＩＰ電話２のＩＰアドレスを、デスティネーションＩＰアドレスにメッセージ交換サーバ３のＩＰアドレスを、開始行にレスポンスを、ＦＲＯＭ５０４にＩＰ電話２の電話番号を、ＴＯ５０５にＩＰ電話１の電話番号を、ＣＳＥＱにＯＫをセットする。
また、メッセージ交換サーバ３からＩＰ電話１へのＯＫのレスポンスでは、ソースＩＰアドレスにメッセージ交換サーバ３のＩＰアドレスを、デスティネーションＩＰアドレスにＩＰ電話１のＩＰアドレスをセットし、他に変更はない。
【００２４】
ＩＰ電話１よりは、メッセージ交換サーバ３を介してリクエストＡＣＫをＩＰ電話２に返信し、これにより接続のパスが確立し、S1802で会話が開始することになる。
ＩＰ電話１からメッセージ交換サーバ３へのリクエストＡＣＫでは、ソースＩＰアドレスにＩＰ電話１のＩＰアドレスを、デスティネーションＩＰアドレスにメッセージ交換サーバ３のＩＰアドレスを、開始行にリクエストを、ＦＲＯＭ５０４にＩＰ電話１の電話番号を、ＴＯ５０５にＩＰ電話２の電話番号を、ＣＳＥＱにＡＣＫをセットする。
また、メッセージ交換サーバ３からＩＰ電話２へのリクエストＡＣＫでは、ソースＩＰアドレスにメッセージ交換サーバ３のＩＰアドレスを、デスティネーションＩＰアドレスにＩＰ電話２のＩＰアドレスをセットし、他に変更はない。
【００２５】
会話が終了すると、どちらかから、切断のためのリクエストＢＹＥを送信する。  本例では、S1803で、ＩＰ電話１より、受話器をおくことにより、リクエストＢＹＥをメッセージ交換サーバ３を介してＩＰ電話２へ送信するものとする。
ＩＰ電話１からメッセージ交換サーバ３へのリクエストＢＹＥでは、ソースＩＰアドレスにＩＰ電話１のＩＰアドレスを、デスティネーションＩＰアドレスにメッセージ交換サーバ３のＩＰアドレスを、開始行にリクエストを、ＦＲＯＭ５０４にＩＰ電話１の電話番号を、ＴＯ５０５にＩＰ電話２の電話番号を、ＣＳＥＱにＢＹＥをセットする。
また、メッセージ交換サーバ３からＩＰ電話２へのリクエストＢＹＥでは、ソースＩＰアドレスにメッセージ交換サーバ３のＩＰアドレスを、デスティネーションＩＰアドレスにＩＰ電話２のＩＰアドレスをセットし、他に変更はない。
【００２６】
ＩＰ電話２では、これに対して、メッセージ交換サーバ３を介してレスポンスＯＫをＩＰ電話１に返して終了することになる。
ＩＰ電話２からメッセージ交換サーバ３へのレスポンスＯＫでは、ソースＩＰアドレスにＩＰ電話２のＩＰアドレスを、デスティネーションＩＰアドレスにメッセージ交換サーバ３のＩＰアドレスを、開始行にレスポンスを、ＦＲＯＭ５０４にＩＰ電話２の電話番号を、ＴＯ５０５にＩＰ電話１の電話番号を、ＣＳＥＱにＯＫセットする。
また、メッセージ交換サーバ３からＩＰ電話１へのレスポンスＯＫでは、ソースＩＰアドレスにメッセージ交換サーバ３のＩＰアドレスを、デスティネーションＩＰアドレスにＩＰ電話１のＩＰアドレスをセットし、他に変更はない。
以上が、通常の接続から切断までのシーケンスを示している。
本例は、ＩＳＤＮ、携帯電話、Ｈ．３２３などのディジタル通信に関しても、同様のシーケンスを持っている。
例えば、ＩＳＤＮでは、ＳＥＴＵＰ、ＡＬＥＲＴなどが、上記、ＩＮＶＩＴＥ、ＲＩＮＧＩＮＧに相当する。
同様に、Ｈ．３２３の場合、Ｑ．９３１、ＲＡＳが対応する。
【００２７】
図１６は、メッセージ交換サーバの図１８におけるS1811の接続処理に関する詳細中継処理のフローチャートを示す。
S1600において、ＩＰ電話１からのＩＮＶＩＴＥメッセージを受信。
S1601、S1602において、データベース４のＩＰ電話２に関連するプレゼンス情報を検索し解析して、S1601で‘在席’ならS1605でＩＰ電話２へＩＮＶＩＴＥメッセージを転送する。
S1602で’帰宅‘ならS1606でＩＰ電話１へTemporarily Unavailableを返信する。
在籍でもなく、帰宅でもない、すなわち不在の場合には、S1603、S1604においてデータベース４のＩＰ電話２の個別接続指定ファイルの写しのＩＰ電話１に対応する選択接続モードと選択接続時間を検索解析、S1603で選択接続モード‘オフ’ならS1606でＩＰ電話１へTemporarily Unavailableを返信する。
S1603で選択接続モード‘オン’ならS1604で、選択接続時間が制限内(現時間が開始時間と終了時間の範囲内)なら、S1605でＩＰ電話２へＩＮＶＩＴＥを転送する。
S1604で、選択接続時間が制限外(現時間が開始時間と終了時間の範囲外)ならS1606でＩＰ電話１へTemporarily Unavailableを返信する。
なお、データベース４に各ＩＰ電話の個別接続指定ファイルの写しが格納されない場合には、メッセージ交換サーバは受信側のＩＰ電話にアクセスして、受信側のＩＰ電話のＨＤＤ内に格納されている個別接続指定ファイルから送信側のＩＰ電話に対応する選択接続モードと選択接続時間を取得し、S1603、S1604の処理を行うようにする。
なお、個別接続指定ファイルが、選択接続時間フィールドを省略し、発信元電話番号フィールドと、選択接続モードフィールドからなる場合には、上記S1604は不要になる。
【００２８】
図１７は、ＩＰ電話２の図１８における接続処理に関する詳細処理のフローチャートを示す。
S1700において、メッセージ交換サーバ３からのＩＮＶＩＴＥメッセージを受信。
S1701において、ＩＰ電話２の固有の電話帳データベースの個別接続指定ファイルを検索解析する。
解析の結果、ＩＰ電話１が選択接続モード‘オン’で選択接続時間内なら、S1702に進み、ＩＰ電話１が選択接続モード‘オフ’又は、ＩＰ電話１が選択接続モード‘オン’で選択接続時間外なら、S1708に進む。
通常接続シーケンスで、S1708において、ＩＰ電話２において、着信表示とともに、ＲＩＮＧＩＮＧメッセージをＩＰ電話１へ返信する。
S1709において、ＩＰ電話２の受信者により行われるオフフックを監視ループする。S1709において、ＩＰ電話２からのオフフックを検出すると、S1710でＩＰ電話１へＯＫメッセージを返信する(通常接続)。それに対して、ＩＰ電話１からＡＣＫメッセージを受けると（S1706）、この後、通話が開始される。
次に、選択接続シーケンスとして、ＩＰ電話１が選択接続モード‘オン’で選択接続時間内(現時間が開始時間と終了時間の範囲内)なら、S1702において、ＩＰ電話２において、着信表示とともに、ＲＩＮＧＩＮＧメッセージをＩＰ電話１へ返信する。
S1703において、一定期間経過の時間監視(３回着信音を鳴らしたか)でループする。
本実施例では、一定期間経過の時間監視をコール回数で行っているが、時間で監視しても良く、又、発信者毎に設定しても良い。
一定時間が経過したら、S1704で、ＩＰ電話２が自動的にオフフックし、ＩＰ電話１へＯＫメッセージを返信する(選択接続)。
S1705において、選択接続された事を表示するとともに、音声でガイダンスする。と同時に、S1706でＩＰ電話１からのＡＣＫの監視ループをする。
ＩＰ電話２でＡＣＫを受信すると、通話が開始される。
以上のように、選択接続シーケンスでは、着信側は何のアクションもすること無く、通話(会話)が開始できる。
なお、個別接続指定ファイルが、選択接続時間フィールドを省略し、発信元電話番号フィールドと、選択接続モードフィールドからなる場合には、S1701におけるＩＰ電話２の固有の電話帳データベースの個別接続指定ファイルの検索解析の結果、ＩＰ電話１が選択接続モード‘オン’なら、S1702に進み、ＩＰ電話１が選択接続モード‘オフ’なら、S1708に進むこととなる。
【００２９】
図１２〜１５は、ＩＰ電話１とＩＰ電話２との接続から、切断までの各々のケースのシーケンス図を示している。
なお、図１２〜１５では、個別接続指定ファイルの形式は、図７に示したものとする。
図１２は、ＩＰ電話１とＩＰ電話２との接続から、切断までの通常のケースのシーケンス図を示している。
S1201でＩＰ電話１は、発信の意味を表すリクエスト、ＩＮＶＩＴＥをセットし、メッセージ交換サーバ３へ発信する。
S1211において、メッセージ交換サーバ３は、受信したメッセージを解析する。
メッセージ中継処理部３０４にて、本受信メッセージのＴＯ５０５の電話番号を読み出す。
本電話番号により、データベース４（図９参照）を検索し、４０２内の対応するＩＰアドレスとプレゼンス情報を求める、プレゼンス情報を解析し、この場合在席なので、求めたＩＰアドレスをメッセージのデスティネーションＩＰアドレス５０２にセットして、ソースＩＰアドレスは、メッセージ交換サーバ３のＩＰアドレスをセットし、ネットワーク５に本ＩＮＶＩＴＥメッセージを流すことになる。
【００３０】
本メッセージを、ＩＰ電話２で受信すると、S1221で、受信したＩＮＶＩＴＥのＦＲＯＭ５０４の電話番号を読み出し、本電話番号により、ＩＰ電話２の個別接続指定ファイルを検索し、７０２内の対応する選択接続モードを求め、解析する、選択接続モードが、この場合、オフなので通常の接続シーケンスを実行し、スピーカ２０１において、着信音を鳴らす。
それと、同時に、デスティネーションＩＰアドレス５０２にメッセージ交換サーバ３のＩＰアドレスをセットして、本ＩＮＶＩＴＥメッセージに対して呼び出し中を示しているレスポンスメッセージＲＩＮＧＩＮＧを返信する。
本レスポンスは、ＩＮＶＩＴＥと逆のルートをたどって、ＩＰ電話１に返信される。
受信したＩＮＶＩＴＥのＦＲＯＭ５０４、ＴＯ５０５を、ＲＩＮＧＩＮＧのＴＯ５０５、ＦＲＯＭ５０４へセットして返信する。
この時、同様に、メッセージ交換サーバ３において、ＲＩＮＧＩＮＧレスポンスのＴＯ５０５より、ＩＰ電話１の電話番号を読み出し、データベース４を検索し、４０２内の対応するＩＰアドレスを求めることなどは言うまでもない。
【００３１】
ＲＩＮＧＩＮＧの後、S1221でＩＰ電話２において、受信者が電話機の受話器を上げると（オフフック）、それにより、電話口で出た意味で、さらに、ＩＰ電話２より、ＯＫのレスポンスがなされる。
ＩＰ電話１よりは、リクエストＡＣＫを返信し、これにより接続のパスが確立し、会話が開始することになる。
会話が終了すると、どちらかから、切断のためのリクエストＢＹＥを送信する。  本例では、S1202で、ＩＰ電話１より、受話器をおくことにより、リクエストＢＹＥを送信する。
ＩＰ電話２では、これに対して、ＯＫのレスポンスを返して終了することになる。
以上が、通常の接続から切断までのシーケンスを示している。
【００３２】
図１３は、ＩＰ電話２のプレゼンス情報が不在、ＩＰ電話２の固有の電話帳データベースのＩＰ電話１に対応する選択接続モードがオフ場合の、ＩＰ電話１とＩＰ電話２との発信から、切断までの通常のシーケンス図を示している。
ＩＰ電話１は、発信の意味を表すリクエスト、ＩＮＶＩＴＥをセットし、メッセージ交換サーバ３へ発信する。
S1311において、メッセージ交換サーバ３は、受信したメッセージを解析する。
メッセージ中継処理部３０４にて、本受信メッセージのＴＯ５０５の電話番号を読み出す。
本電話番号により、データベース４を検索し、４０２内の対応するＩＰアドレスとプレゼンス情報を求める、プレゼンス情報を解析し不在なので、さらに本受信メッセージのＦＲＯＭ５０４の電話番号を読み出す。ＴＯの電話番号によりデータベース４を検索し、１００２（ＩＰ電話２の個別接続設定ファイルの写し）内のＦＲＯＭの電話番号に対応する選択接続モードと選択接続時間を読み出し、解析する。
解析結果、選択接続モードがオフなので、S1311の不在応答処理を行う。
本受信メッセージのＦＲＯＭ５０４の電話番号を読み出し、データベース４を検索し、４０２内の対応するＩＰアドレスを求める。求めたＩＰアドレスをメッセージのデスティネーションＩＰアドレス５０２にセットして、ソースＩＰアドレスは、メッセージ交換サーバ３のＩＰアドレスをセットして、本ＩＮＶＩＴＥメッセージに対して不在応答を示しているレスポンスメッセージTemporarily Unavailableを返信する。
図には、記述していないが、メッセージ交換サーバ３で不在の場合の対応処理として、ボイスメッセージが設定されていれば、ボイスメッセージの処理が開始される。
【００３３】
図１４は、ＩＰ電話２のプレゼンス情報が不在、ＩＰ電話２の個別接続設定ファイルのＩＰ電話１に対応する選択接続モードがオン、選択接続時間以内(開始、終了時間の範囲内)の場合の、ＩＰ電話１とＩＰ電話２との発信から、切断までの選択接続のシーケンス図を示している。
ＩＰ電話１は、発信の意味を表すリクエスト、ＩＮＶＩＴＥをセットし、メッセージ交換サーバ３へ発信する。
S1411において、メッセージ交換サーバ３は、受信したメッセージを解析する。
メッセージ中継処理部３０４にて、本受信メッセージのＴＯ５０５の電話番号を読み出す。
本電話番号により、データベース４を検索し、４０２内の対応するＩＰアドレスとプレゼンス情報を求める、プレゼンス情報を解析し、この場合不在なので、さらに本受信メッセージのＦＲＯＭ504の電話番号を読み出す。ＴＯの電話番号によりデータベース４を検索し、１００２（ＩＰ電話２個別接続設定ファイル）内のＦＲＯＭの電話番号に対応する選択接続モードと選択接続時間を読み出し、解析する。
解析の結果、選択接続モードがオンで選択接続時間以内(開始、終了時間の範囲内)なので、求めたＩＰアドレスをメッセージのデスティネーションＩＰアドレス５０２にセットして、ソースＩＰアドレスは、メッセージ交換サーバ３のＩＰアドレスをセットし、ネットワーク５に本ＩＮＶＩＴＥメッセージを流すことになる。
【００３４】
本メッセージを、ＩＰ電話２で受信すると、S1421で、受信したＩＮＶＩＴＥのＦＲＯＭ５０４の電話番号を読み出し、本電話番号により、ＩＰ電話２の固有の電話帳データベースの個別接続設定ファイルを検索し、７０２内の対応する選択接続モードを求め、解析する。選択接続モードがオン、選択接続時間以内(開始、終了時間の範囲内)なので選択接続シーケンスを実行する。
スピーカ201において、着信音を一定期間(３回)鳴らし、それと、同時に、デスティネーションＩＰアドレス５０２にメッセージ交換サーバ３のＩＰアドレスをセットして、本ＩＮＶＩＴＥメッセージに対して呼び出し中を示しているレスポンスメッセージＲＩＮＧＩＮＧを返信する。
本レスポンスは、ＩＮＶＩＴＥと逆のルートをたどって、ＩＰ電話１に返信される。
受信したＩＮＶＩＴＥのＦＲＯＭ５０４、ＴＯ５０５を、ＲＩＮＧＩＮＧのＴＯ５０５、ＦＲＯＭ５０４へセットして返信する。
この時、同様に、メッセージ交換サーバ３において、ＲＩＮＧＩＮＧレスポンスのＴＯ５０５より、ＩＰ電話１の電話番号を読み出し、データベース４を検索し、４０２内の対応するＩＰアドレスを求めることなどは言うまでもない。
【００３５】
着信音を一定期間(３回)鳴らした後、選択接続をＩＰ電話２において行う(自動的に（オフフック）動作が行われる)、それにより、電話口で出た意味で、さらに、ＩＰ電話２より、ＯＫのレスポンスがなされる。
ＩＰ電話２では、選択接続されたことを知らせる為に、ソフトフォン画面上に接続表示するとともに、音声で選択接続された趣旨をガイダンスする。
ＩＰ電話１よりは、リクエストＡＣＫを返信し、これにより接続のパスが確立し、会話が開始することになる。
会話が終了すると、どちらかから、切断のためのリクエストＢＹＥを送信する。
本例では、S1202で、ＩＰ電話１より、受話器をおくことにより、リクエストＢＹＥを送信する。
ＩＰ電話２では、これに対して、ＯＫのレスポンスを返して終了することになる。
以上の様に、選択接続では、受信者が電話機の受話器を上げる(オフフック)動作をせずに、会話が開始出来る。
以上が、選択接続から切断までのシーケンスを示している。
【００３６】
図１５は、ＩＰ電話２のプレゼンス情報が不在、ＩＰ電話２の個別接続設定ファイルのＩＰ電話１に対応する選択接続モードがオン、選択接続時間外 (開始、終了時間の範囲外)の場合の、ＩＰ電話１とＩＰ電話２との発信から、切断までの選択接続のシーケンス図を示している。
ＩＰ電話１は、発信の意味を表すリクエスト、ＩＮＶＩＴＥをセットし、メッセージ交換サーバ３へ発信する。
S1411において、メッセージ交換サーバ３は、受信したメッセージを解析する。
メッセージ中継処理部３０４にて、本受信メッセージのＴＯ５０５の電話番号を読み出す。
本電話番号により、データベース４を検索し、４０２内の対応するＩＰアドレスとプレゼンス情報を求める、プレゼンス情報を解析し不在なので、さらに本受信メッセージのＦＲＯＭ504の電話番号を読み出す。ＴＯの電話番号によりデータベース４を検索し、１００２（ＩＰ電話２の個別接続設定ファイルの写し）内のＦＲＯＭの電話番号に対応する選択接続モードと選択接続時間を読み出し、解析する。
解析の結果、選択接続モードがオンで選択接続時間外(開始、終了時間の範囲外)なので、S1511の不在応答処理を行う、本受信メッセージのＦＲＯＭ５０４の電話番号を読み出し、データベース４を検索し、４０２内の対応するIPアドレスを求める。
求めたＩＰアドレスをメッセージのデスティネーションＩＰアドレス５０２にセットして、ソースＩＰアドレスは、メッセージ交換サーバ３のＩＰアドレスをセットして、本ＩＮＶＩＴＥメッセージに対して不在応答を示しているレスポンスメッセージTemporarily Unavailableを返信する。
図には、記述していないが、メッセージ交換サーバ３で不在の場合の対応処理として、ボイスメッセージが設定されていれば、ボイスメッセージの処理が開始される。
【００３７】
本実施例では、記述されていないが、ＩＰ電話にWebカメラが搭載されていてもよく、搭載されていれば、通話開始後、相手の状態を画像で確認することも出来る為、近親者が高齢者などの状況確認も容易にできる。
又、発信者毎に、選択接続モードと時間を設定できるので、限られた人から、限られた時間のみ、電話の接続が出来る為、安全な電話を提供できる。
本実施例においては、ソフトフォンを例にしたが、プログラムで制御が可能な機能を持った、ハードフォンであっても同様な機能が提供できる。
【図面の簡単な説明】
【００３８】
【図１】本実施形態によるシステム構成例を示す図である。
【図２】本発明のＩＰ電話内(ＰＣ)のハードウェアのハードウェアブロック図である。
【図３】本発明のＩＰ電話(ＰＣ)のソフトウェアのソフトウェアブロック図である。
【図４】本発明のＩＰ電話（ＰＣ）におけるディスプレイ上に表示されるソフトフォン画面例を示す図である。
【図５】本発明のＩＰ電話（ＰＣ）におけるハンドセット２（ＨＳ２）の外観図である。
【図６】選択接続モード、選択接続開始時間、及び、終了時間入力例を示すずである。
【図７】ＩＰ電話（ＰＣ）のＨＤＤ１０６に保存されている固有の電話帳データベースの個別接続指定ファイルの一部の形式を示す図である。
【図８】メッセージ交換サーバ３の機能ブロック図である。
【図９】メッセージ交換サーバ３に接続されたデータベース４の一部の形式を示すずである。
【図１０】データベース４に格納されたＩＰ電話（ＰＣ）の固有の電話帳データベースの個別接続指定ファイルの写しを示す図である。
【図１１】メッセージ形式の一部を示す図である。
【図１２】ＩＰ電話１とＩＰ電話２との接続から、切断までの通常のケースのシーケンス図である。
【図１３】ＩＰ電話２のプレゼンス情報が不在、ＩＰ電話２の固有の電話帳データベースのＩＰ電話１に対応する選択接続モードがオフ場合の、ＩＰ電話１とＩＰ電話２との発信から、切断までの通常のシーケンス図である。
【図１４】ＩＰ電話２のプレゼンス情報が不在、ＩＰ電話２の個別接続設定ファイルのＩＰ電話１に対応する選択接続モードがオン、選択接続時間以内(開始、終了時間の範囲内)の場合の、ＩＰ電話１とＩＰ電話２との発信から、切断までの選択接続のシーケンス図
【図１５】ＩＰ電話２のプレゼンス情報が不在、ＩＰ電話２の個別接続設定ファイルのＩＰ電話１に対応する選択接続モードがオン、選択接続時間外 (開始、終了時間の範囲外)の場合の、ＩＰ電話１とＩＰ電話２との発信から、切断までの選択接続のシーケンス図である。
【図１６】メッセージ交換サーバの図１８におけるS1811の接続処理に関する詳細中継処理のフローチャートを示す図である。
【図１７】ＩＰ電話２の図１８における接続処理に関する詳細処理のフローチャートを示す図である。
【図１８】ＩＰ電話１とＩＰ電話２との接続から、切断までのシーケンス図である。
【符号の説明】
【００３９】
１  ＩＰ電話
２  ハンドセット
３  メッセージ交換サーバ
４  データベース
５  ネットワーク
１０１  ＣＰＵ
１０２  メモリ
１０３  ＬＡＮ
１０４  ＩＮＰＵＴ
１０５  ＤＩＳＰＬＡＹ
１０６  ＨＤＤ
１０７  ＵＳＢ
１１０  ソフトホンアプリケーション部
１１１  イベント制御部
１１２  音声制御部
１１３  発信制御部
１１４  着信制御部
１１５  画面操作制御部
１１６  ファイル送受信部
１２０  ＯＳ
１３０  入出力制御部
１３１  ＬＡＮ制御部
１３２  ハンドセット制御部
１３３  ハードディスク制御部
１３４  入力制御部
１３５  表示制御部
１４１  テンキー置数入力
１４２  ガイダンス表示
１４３  テンキーエリア
１４４  発着信ボタン
１４５  切断ボタン
１４６  制御ボタンエリア
１４７  プレゼンス設定ボタン
１４８  プレゼンス表示
１４９  電話帳ボタン
２０１  スピーカ
２０２  発信ボタン
２０３  切断ボタン
２０４  テンキーエリア
２０５  マイク
３０１  通信制御部
３０２  メッセージ受信部
３０３  メッセージ解析部
３０４  メッセージ中継処理部
３０５  メッセージ送信部
４０１  電話番号
４０２  ＩＰアドレス
４０３  プレゼンス
５０１  ソースＩＰアドレス
５０２  デステネーションＩＰアドレス
５０３  開始行
５０４  ＦＲＯＭ
５０５  ＴＯ
５０６  ＣＡＬＬ  ＩＤ
５０７  ＣＳＥＱ
５０８  ボディ
７０１  発信元電話番号
７０２  選択接続モード
７０３  選択接続時間
１００１  ＩＰ電話１個別接続指定ファイル
１００２  ＩＰ電話２個別接続指定ファイル
１００３  ＩＰ電話ｎ個別接続指定ファイル
１４６０  選択接続設定画面
１４６１、１４６２  チェックマーク入力
１４６３、１４６５  時入力
１４６４、１４６６  分入力
１４６７  登録ボタン
１４６８  対象電話番号表示エリア
【図１】
2006108938.tif 000003
【図２】
2006108938.tif 000004
【図３】
2006108938.tif 000005
【図４】
2006108938.tif 000006
【図５】
2006108938.tif 000007
【図６】
2006108938.tif 000008
【図７】
2006108938.tif 000009
【図８】
2006108938.tif 000010
【図９】
2006108938.tif 000011
【図１０】
2006108938.tif 000012
【図１１】
2006108938.tif 000013
【図１２】
2006108938.tif 000014
【図１３】
2006108938.tif 000015
【図１４】
2006108938.tif 000016
【図１５】
2006108938.tif 000017
【図１６】
2006108938.tif 000018
【図１７】
2006108938.tif 000019
【図１８】
2006108938.tif 000020